(57)【要約】      （修正有）【課題】打ち上げ煙火を製作する際に用いる、星や割火薬を、任意の、硬さ、長さに効率よく製造出来得る抜き型式圧縮火薬製造装置を提供する。【解決手段】プレス装置部１により可動するプレス伝達部２に接続されたプレス部５と、プレス部と弾性体ｘ７により可動され、抜き型スリーブ保持部ガイド６と弾性体ｘにより可動制限される抜き型スリーブ保持部１４と、プレス部と弾性体ｙ１１により可動され、ピストン受け部ガイド１０と弾性体ｙにより可動制限されるピストン受け部８と、プレス装置部を固定してある下土台を有しており、プレス部は、プレス装置部とピストン受け部の離隔距離を確保する上昇制御部３を有し、抜き型スリーブ保持部とピストン受け部は、各々抜き型スリーブ１３とピストン９を保持しており、抜き型スリーブとピストンは平行に噛み合い、プレス装置部稼動時において、下土台と垂直に接触する配置であり、抜き型スリーブ保持部とピストン受け部は、火薬流入量調整部１２により位置調整ができる。【選択図】図１
0003213932.tif 000002
【実用新案登録請求の範囲】
【請求項１】
プレス装置部により可動するプレス伝達部に接続されたプレス部と、
前記プレス部と弾性体ｘにより可動され、抜き型スリーブ保持部ガイドと前記弾性体ｘにより可動制限される抜き型スリーブ保持部と、
前記プレス部と弾性体ｙにより可動され、ピストン受け部ガイドと前記弾性体ｙにより可動制限されるピストン受け部と、
プレス装置部を固定してある下土台を有しており、
前記プレス部は、前記プレス装置部と前記ピストン受け部の離隔距離を確保する上昇制御部を有し、
前記プレス部前記抜き型スリーブ保持部と前記ピストン受け部は、各々抜き型スリーブとピストンを保持しており、
前記抜き型スリーブと前記ピストンは平行に噛み合い、前記プレス装置部稼動時において、前記下土台と垂直に接触する配置であり、
前記抜き型スリーブ保持部と前記ピストン受け部は、火薬流入量調整部により位置調整ができ、前記抜き型スリーブ内の容積を調整し得る
ことを特徴とする抜き型式圧縮火薬製造装置。
【考案の詳細な説明】
【技術分野】
【０００１】  本考案は、多様な圧縮火薬をより効率的に製造し得る、抜き型式圧縮火薬製造装置に関するものである。
【背景技術】
【０００２】  打ち上げ煙火を製作する際に用いる星や割火薬を製造する際、火薬を筒につめて叩いて成形していく打ち星や、複数の穴を持った板状の型を使用して火薬をプレスして固めるプレス星、火薬と糊を練って平たく延ばし、サイコロ状に切り分ける切り星などの製造方法がある。
また、高い技術を必要とし、手間暇のかかる方法として、造粒器を用い、芯となる粒に火薬と糊と水の混合薬をまぶしかけ、乾燥と、まぶしの作業を繰り返し任意の大きさにする掛け星などの方法がある。炎色の異なる火薬を多層にわたり重ねることにより、変色燃焼する星を製造することが出来る。
その他に、打ち上げ煙火玉の中心にあって、高い爆発力により、星を遠くに飛ばすための割火薬もまた同様に造粒器で芯になる綿の実などに火薬をまぶして作る。【０００３】  しかし、打ち星は一度に大量に生産することは難しい。また、プレス星は、火薬の量を一定に保つために、単一の型では火薬の量を調整することが難しく、多様な密度、高さの星を作ることが出来ない。【０００４】  この改善策として、プレス機等を用い、打ち星とプレス星を合わせた様な製造方法も行われているが、前述の、任意の多様な、密度、サイズの星等を製造するには至っていない。これを実現するためには、抜き型のピストンやスリーブの交換を余儀なくされる。  また、芯材を用いた割火薬は燃焼後、残渣としてたびたび芯材の燃えかすが地上まで飛来する。
【考案の概要】
【考案が解決しようとする課題】
【０００５】打ち上げ煙火を製作する際に用いる、星や割火薬を、任意の、密度、高さに効率よく製造出来得る装置を提供することにある。
【課題を解決するための手段】
【０００６】  請求項１の考案は、粉体状の火薬や少量の糊や水分を含んだ火薬を、プレス装置部１と火薬流入量調整部１２を有した、ピストン９と抜き型スリーブ１３により圧縮することを主要な特徴とする。
【考案の効果】
【０００７】  請求項１の考案によれば、抜き型式圧縮火薬製造装置は、火薬流入量調整部により、スリーブ内に流入する火薬の量を調整でき得るので、任意の、密度、大きさの星を得ることが出来る。また、密度を低く圧縮したり、材料の火薬に易燃性の多孔質体を混入し圧縮することにより、残渣の少ない割火薬を提供することが出来得る。
【図面の簡単な説明】
【０００８】
【図１】図１は抜き型式圧縮火薬製造装置の実施方法を示した説明図である。（実施例１）
【図２】図２は図１の抜き型式圧縮火薬製造装置の実施方法を（ａ）〜（ｆ）まで作動順において示した動作工程可視図である。（実施例１）
【図３】図３は図１の抜き型式圧縮火薬製造装置の火薬流入量調整部１２を稼働させ動作した時の、差異を示した説明図である。（実施例１）
【実施例１】
【０００９】  図１は、本考案装置の１実施例の図であって、プレス装置部１の有するプレス伝達部２に接続された、プレス部５により押し下げられるピストン受け部８と抜き型スリーブ保持部１４により、当該装置下部に設置してある材料の火薬１５を下土台１６まで押しつけると、抜き型スリーブ１３内に、火薬流入量調整部１２により設定された量の火薬を充填する。更に押し下げられることにより、抜き型スリーブ保持部１４が下げ止まり、弾性体ｘ７により支えられていたピストン受け部８の保持するピストン９が抜き型スリーブ１３内を圧縮しながら押し下がる。プレス装置部１にあらかじめ圧力を設定しておくことにより圧縮が停止する。
プレス部２を上昇させるとピストン受け部８、抜き型スリーブ保持部１４の順で上昇を始める。ピストン受け部８の有する上昇制御部３がプレス装置部１を感知すると、ピストン受け部１４だけが停止し、抜き型スリーブ保持部１４のみ上昇を続ける。それにより、抜き型スリーブ１３内に残った圧縮された火薬がピストン９に押し出され取り出される。
【実施例２】
【００１０】  本考案装置の実施例１のピストン受け部８とスリーブ保持部１４にそれぞれ複数の、ピストン９とスリーブ１０を保持させることのより、同時に複数の圧縮火薬を製造し得る。
【産業上の利用可能性】
【００１１】星及び割火薬制作において、液状に溶いた火薬を使用しないので、乾燥時間を大幅に削減することが出来る。尚且つ、連続で機械的に作業することが可能となり、高効率化、低コスト化を実現し得る。また、芯材を必要としない割火薬を制作し得る。
【符号の説明】
【００１２】１    プレス装置部
２    プレス伝達部
３    上昇制御部
４    上昇制御部保持部
５    プレス部
６    抜き型スリーブ保持部ガイド
７    弾性体ｘ
８    ピストン受け部
９    ピストン
１０  ピストン受け部ガイド
１１  弾性体ｙ
１２  火薬流入量調整部
１３  抜き型スリーブ
１４  抜き型スリーブ保持部
１５  火薬
１６  下土台
【図１】
0003213932.tif 000003
【図２】
0003213932.tif 000004
【図３】
0003213932.tif 000005
【手続補正書】
【提出日】平成29年9月18日(2017.9.18)
【手続補正１】
【補正対象書類名】実用新案登録請求の範囲
【補正対象項目名】全文
【補正方法】変更
【補正の内容】
【実用新案登録請求の範囲】
【請求項１】
プレス装置部により可動するプレス伝達部に接続されたプレス部と、
前記プレス部と弾性体ｘにより可動され、抜き型スリーブ保持部ガイドと前記弾性体ｘにより可動制限される抜き型スリーブ保持部と、
前記プレス部と弾性体ｙにより可動され、ピストン受け部ガイドと前記弾性体ｙにより可動制限されるピストン受け部と、
プレス装置部を固定してある下土台を有しており、
前記プレス部は、前記プレス装置部と前記ピストン受け部の離隔距離を確保する上昇制御部を有し、
前記抜き型スリーブ保持部と前記ピストン受け部は、各々抜き型スリーブとピストンを保持しており、
前記抜き型スリーブと前記ピストンは平行に噛み合い、前記プレス装置部稼動時において、前記下土台と垂直に接触する配置であり、
前記抜き型スリーブ保持部と前記ピストン受け部は、火薬流入量調整部により位置調整ができ、
前記抜き型スリーブ内の容積を調整し得る
ことを特徴とする抜き型式圧縮火薬製造装置。